(57)【要約】【課題】主にエアコンや給湯機器等の遠隔操作に用いられるリモコン装置及びリモコン送信機に関し、視認性が良好で、操作の行い易いものを提供することを目的とする。【解決手段】液晶表示素子３を視野角θと逆方向へ傾斜させたリモコン送信機２０を、側壁のホルダー２１に装着してリモコン装置を構成することによって、側壁に取付けられた状態でも、液晶表示素子３の視認を視野角θ方向から行うことができるため、文字等の表示の明暗が明確で、操作の行い易いリモコン送信機２０及びリモコン装置を得ることができる。【選択図】図１
2005244554.tif 000002
【特許請求の範囲】
【請求項１】
液晶表示素子と複数の操作部、及びこの操作部の操作に応じてリモコン信号を送信する制御回路から形成されたリモコン送信機と、側壁に取付けられ上記リモコン送信機が装着されたホルダーからなり、上記リモコン送信機の上記液晶表示素子を視野角と逆方向へ傾斜させたリモコン装置。
【請求項２】
液晶表示素子と複数の操作部、及びこの操作部の操作に応じてリモコン信号を送信する制御回路からなり、上記液晶表示素子を視野角と逆方向へ傾斜させたリモコン送信機。
【発明の詳細な説明】
【技術分野】
【０００１】
本発明は、主にエアコンや給湯機器等の遠隔操作に用いられるリモコン装置、及びリモコン送信機に関するものである。
【背景技術】
【０００２】
近年、エアコンや給湯機器等の高機能化が進むなか、室内の壁や柱等の側壁に着脱可能に装着され、これらの機器を遠隔操作するリモコン送信機においても、文字等の表示が明確に視認でき、操作の行い易いものが求められている。
【０００３】
このような従来のリモコン送信機とリモコン装置について、図４及び図５を用いて説明する。
【０００４】
図４は従来のリモコン送信機の断面図であり、同図において、１は略箱状で絶縁樹脂製の下ケース、２は上下面に複数の配線パターン（図示せず）が形成された配線基板で、下ケース１背面には爪状の係合部１Ａが設けられると共に、配線基板２上面には複数の固定接点２Ａが形成されている。
【０００５】
また、３はＴＮ方式の液晶表示素子、４は導電層と絶縁層が所定間隔で積層された弾性接続体で、弾性接続体４がやや撓んだ状態で配線基板２と液晶表示素子３の間に装着され、この弾性接続体４によって配線基板２と液晶表示素子３が電気的に接続されている。
【０００６】
そして、５はゴム等の操作体で、上面にはドーム状の複数の操作部５Ａが形成されると共に、この操作部５Ａ下面に形成された可動接点５Ｂが、配線基板２上面の固定接点２Ａと所定の間隙を空けて対向して、複数のスイッチ接点が形成されている。
【０００７】
さらに、配線基板２の上下面には、発光ダイオード６Ａやマイコン６Ｂ等の電子部品が実装されて、リモコン信号を送信する制御回路６が形成されている。
【０００８】
また、７は絶縁樹脂製の上ケースで、上ケース７上面には液晶表示素子３上面の表示面が露出する開口部７Ａが設けられると共に、この開口部７Ａを光透過性のパネル８が覆っている。
【０００９】
そして、上ケース７上面の複数の貫通孔から複数の操作部５Ａが上方へ突出すると共に、上ケース７が配線基板２や操作体５を収納した、下ケース１の上面開口部を覆ってリモコン送信機９が構成されている。
【００１０】
なお、所定の電圧印加時に、液晶表示素子３の液晶分子が斜めに立上がる方向、つまり表示面の直交方向に対する傾きで、文字等の表示の明暗が最も明確に視認できる視野角θは、リモコン送信機９を手で持って操作部５Ａを操作する場合に合わせ、通常、約３０度前後の左方向に設定されている。
【００１１】
そして、このようなリモコン送信機９は、エアコンや給湯機器等の遠隔操作に用いられる場合、図５の断面図に示すように、室内の壁や柱等の側壁に取付けられたホルダー１０に、背面の係合部１Ａがフック状の係止部１０Ａに係止されて着脱可能に装着され、リモコン装置として使用される。
【００１２】
なお、この時、ホルダー１０は操作部５Ａの操作が行い易いように、通常、リモコン送信機９の液晶表示素子３の表示面が、大体目の高さと同じになるように側壁に取付けられるため、リモコン装置として側壁のホルダー１０に装着された状態では、リモコン送信機９の液晶表示素子３を視野角θ方向からではなく、表示面の略直交方向から視認することとなる。
【００１３】
以上の構成において、側壁のホルダー１０に装着されたリモコン送信機９の所定の操作部５Ａ、例えば、電源の入／切用の操作部５Ａを押圧操作すると、この個所の可動接点５Ｂが配線基板２上面の固定接点２Ａに接触して、スイッチ接点の電気的接離が行われ、これらに対応した赤外線のリモコン信号が制御回路６から機器へ送信され、これによってエアコンや給湯機器等の、電源の入／切が遠隔操作によって行われる。
【００１４】
また、これらの機器の温度設定等を行う場合には、リモコン送信機９の所定の操作部５Ａを押圧操作して、液晶表示素子３に表示された温度の増減を行い、この設定した温度をリモコン信号として機器へ送信することによって、機器の風や湯の温度等が設定されるように構成されているものであった。
【００１５】
なお、この出願の発明に関連する先行技術文献情報としては、例えば、特許文献１が知られている。
【特許文献１】特開２００１−４１４９１号公報
【発明の開示】
【発明が解決しようとする課題】
【００１６】
しかしながら、上記従来のリモコン装置及びリモコン送信機においては、リモコン装置として側壁のホルダー１０に装着された状態では、リモコン送信機９の液晶表示素子３の視認が、視野角θ方向からではなく表示面の直交方向から行われるため、文字等の表示の明暗が不明確となり、視認性に劣り操作がしづらいという課題があった。
【００１７】
本発明は、このような従来の課題を解決するものであり、視認性が良好で、操作の行い易いリモコン装置及びリモコン送信機を提供することを目的とする。
【課題を解決するための手段】
【００１８】
上記目的を達成するために本発明は、以下の構成を有するものである。
【００１９】
本発明の請求項１に記載の発明は、側壁のホルダーに装着されたリモコン送信機の液晶表示素子を、視野角と逆方向へ傾斜させてリモコン装置を構成したものであり、側壁に取付けられた状態でも、リモコン送信機の液晶表示素子の視認を視野角θ方向から行うことができるため、文字等の表示の明暗が明確で、操作の行い易いリモコン装置を得ることができるという作用を有する。
【００２０】
請求項２に記載の発明は、液晶表示素子を視野角と逆方向へ傾斜させてリモコン送信機を構成したものであり、視認性が良好で、操作の行い易いリモコン送信機を得ることができるという作用を有する。
【発明の効果】
【００２１】
以上のように本発明によれば、視認性が良好で、操作の行い易いリモコン装置及びリモコン送信機を実現することができるという有利な効果が得られる。
【発明を実施するための最良の形態】
【００２２】
以下、本発明の実施の形態について、図１〜図３を用いて説明する。
【００２３】
なお、背景技術の項で説明した構成と同一構成の部分には同一符号を付して、詳細な説明を簡略化する。
【００２４】
（実施の形態１）
実施の形態１を用いて、本発明の特に請求項１及び２記載の発明について説明する。
【００２５】
図１は本発明の第１の実施の形態によるリモコン装置の断面図、図２は同リモコン送信機の断面図であり、図２において、１１は略箱状でポリスチレンやＡＢＳ等の絶縁樹脂製の下ケースで、背面に爪状の係合部１１Ａが設けられると共に、右方が左方に対し略中間部から約１５度前後、下方へ折曲している。
【００２６】
また、１２と１３は紙フェノールやガラス入りエポキシ等の配線基板で、各々上下面に銅等によって複数の配線パターン（図示せず）が形成されると共に、配線基板１２は下ケース１１右方、配線基板１３は下ケース１１左方の底面に各々平行に配置され、この配線基板１２と１３はリード線等によって電気的に接続されている。
【００２７】
そして、３はＴＮ方式の液晶表示素子、４はシリコンゴム等にカーボン等を分散した導電層とシリコンゴム等の絶縁層が所定間隔で積層された弾性接続体で、弾性接続体４がやや撓んだ状態で配線基板１２と液晶表示素子３の間に装着され、この弾性接続体４によって配線基板１２と液晶表示素子３が電気的に接続されている。
【００２８】
なお、所定の電圧印加時に、液晶表示素子３の液晶分子が斜めに立上がる方向、つまり表示面の直交方向に対する傾きで、文字等の表示の明暗が最も明確に視認できる視野角θは、従来のものと同様に、約３０度前後の左方向に設定されている。
【００２９】
また、５はシリコンゴムやエラストマー等の操作体で、上面にはドーム状の複数の操作部５Ａが形成されると共に、この操作部５Ａ下面にはカーボン等の可動接点５Ｂが形成され、この可動接点５Ｂが配線基板１３上面の複数の固定接点１３Ａと所定の間隙を空けて対向して、複数のスイッチ接点が形成されている。
【００３０】
そして、配線基板１２や１３の上下面には、発光ダイオード６Ａやマイコン６Ｂ等の電子部品が実装されて、リモコン信号を送信する制御回路６が形成されている。
【００３１】
さらに、１７はポリスチレンやＡＢＳ等の絶縁樹脂製の上ケースで、下ケース１１と同様に、右方が左方に対し略中間部から約１５度前後、下方へ折曲すると共に、上面には液晶表示素子３上面の表示面が露出する開口部１７Ａが設けられ、この開口部１７Ａを光透過性のパネル８が覆っている。
【００３２】
つまり、上ケース１７と下ケース１１の右方内に収納された液晶表示素子３は、左方に対し約１５度前後、視野角θとは逆方向へ傾斜した状態で装着されている。
【００３３】
また、上ケース１７上面の複数の貫通孔から複数の操作部５Ａが上方へ突出すると共に、上ケース１７が配線基板１２や１３、操作体５等を収納した、下ケース１１の上面開口部を覆ってリモコン送信機２０が構成されている。
【００３４】
そして、このようなリモコン送信機２０は、エアコンや給湯機器等の遠隔操作に用いられる場合、図１に示すように、室内の壁や柱等の側壁に取付けられたホルダー２１に、背面の係合部１１Ａがフック状の係止部２１Ａに係止されて着脱可能に装着され、リモコン装置として使用される。
【００３５】
以上の構成において、側壁のホルダー２１に装着されたリモコン送信機２０の所定の操作部５Ａ、例えば、電源の入／切用の操作部５Ａを押圧操作すると、この個所の可動接点５Ｂが配線基板１３上面の固定接点１３Ａに接触して、スイッチ接点の電気的接離が行われ、これらに対応した赤外線のリモコン信号が制御回路６から機器へ送信され、これによってエアコンや給湯機器等の、電源の入／切が遠隔操作によって行われる。
【００３６】
また、これらの機器の温度設定等を行う場合には、リモコン送信機２０の所定の操作部５Ａを押圧操作して、液晶表示素子３に表示された温度の増減を行い、この設定した温度をリモコン信号として機器へ送信することによって、機器の風や湯の温度等が設定される。
【００３７】
そして、この時、リモコン送信機２０の液晶表示素子３は、視野角θとは逆方向へ約１５度前後傾斜した状態で装着されているため、ホルダー２１が大体目の高さと同じになるように側壁に取付けられた状態では、ほぼ視野角θの方向から表示面の視認が行われるように構成されている。
【００３８】
このように本実施の形態によれば、液晶表示素子３を視野角θと逆方向へ傾斜させたリモコン送信機２０を、側壁のホルダー２１に装着してリモコン装置を構成することによって、側壁に取付けられた状態でも、液晶表示素子３の視認を視野角θ方向から行うことができるため、文字等の表示の明暗が明確で、操作の行い易いリモコン送信機２０及びリモコン装置を得ることができるものである。
【００３９】
（実施の形態２）
実施の形態２を用いて、本発明の特に請求項１記載の発明について説明する。
【００４０】
なお、実施の形態１や背景技術の項で説明した構成と同一構成の部分には同一符号を付して、詳細な説明を省略する。
【００４１】
図３は本発明の第２の実施の形態によるリモコン装置の断面図であり、同図において、室内の壁や柱等の側壁に取付けられたホルダー２２に着脱可能に装着されたリモコン送信機９は、従来のものと同様の構成であるため、詳細な説明を省略する。
【００４２】
なお、リモコン送信機９の液晶表示素子３の視野角θが、約３０度前後の左方向に設定されていることも、従来のものと同様であるが、リモコン送信機９は、側壁に取付けられたホルダー２２の、視野角θとは逆方向へ約１５度前後傾斜して形成されたリモコン装着部２２Ａに装着されている。
【００４３】
つまり、ホルダー２２によってリモコン送信機９が、液晶表示素子３の視野角θとは逆方向へ傾斜した状態で装着されてリモコン装置が形成されている。
【００４４】
従って、ホルダー２２が大体目の高さと同じになるように側壁に取付けられた状態では、ほぼ視野角θの方向から液晶表示素子３の表示面の視認が行われるように構成されている。
【００４５】
このように本実施の形態によれば、実施の形態１の場合のように、液晶表示素子３を視野角θと逆方向へ傾斜させたリモコン送信機２０ではなく、従来のものと同一構成のリモコン送信機９を用いても、液晶表示素子３の視認を視野角θ方向から行うことができ、文字等の表示の明暗が明確で、操作の行い易いリモコン装置を得ることができるものである。
【００４６】
なお、以上の説明では、液晶表示素子３やホルダー２２のリモコン装着部２２Ａを、視野角θとは逆方向へ約１５度前後傾斜した構成について説明したが、視野角θが約３０度前後に設定された液晶表示素子３の場合には、数度〜２０数度の範囲で、つまり、液晶表示素子の視野角の範囲内であれば、様々な角度に傾斜させた構成としても本発明の実施は可能である。
【００４７】
また、側壁に取付けられたホルダー２１や２２にリモコン送信機２０や９を装着する際、背面の係合部と係止部を用いて係止する構成として説明したが、上面開放で側面と底面が略コの字状に形成された、リモコン装着部をホルダー前面に設け、これに上方向からリモコン送信機を挿入して装着する構成としてもよい。
【産業上の利用可能性】
【００４８】
本発明によるリモコン装置及びリモコン送信機は、視認性が良好で、操作の行い易いものが得られ、主にエアコンや給湯機器等の遠隔操作用として有用である。
【図面の簡単な説明】
【００４９】
【図１】本発明の第１の実施の形態によるリモコン装置の断面図
【図２】同リモコン送信機の断面図
【図３】本発明の第２の実施の形態によるリモコン装置の断面図
【図４】従来のリモコン送信機の断面図
【図５】同リモコン装置の断面図
【符号の説明】
【００５０】
３  液晶表示素子
４  弾性接続体
５  操作体
５Ａ  操作部
５Ｂ  可動接点
６  制御回路
６Ａ  発光ダイオード
６Ｂ  マイコン
８  パネル
９、２０  リモコン送信機
１１  下ケース
１１Ａ  係合部
１２、１３  配線基板
１３Ａ  固定接点
１７  上ケース
１７Ａ  開口部
２１、２２  ホルダー
２１Ａ  係止部
２２Ａ  リモコン装着部
【図１】
2005244554.tif 000003
【図２】
2005244554.tif 000004
【図３】
2005244554.tif 000005
【図４】
2005244554.tif 000006
【図５】
2005244554.tif 000007